(57)【要約】【課題】本発明は、ＩＳＯ／ＪＩＳ規格に準拠した外形寸法のカードに印字するためのカードプリント装置を使用して、そのＩＳＯ／ＪＩＳ規格寸法よりも小さい寸法の非接触方式の非接触ＩＣカードに対しても、所望の情報の印字処理を行うことができ、またカード発行時には、ＩＳＯ／ＪＩＳ規格に準拠した外形寸法を有し、カード利用時には、ＩＳＯ／ＪＩＳ規格寸法よりも小さい寸法の非接触方式のカードとして用いることができる非接触ＩＣカードを提供する。【解決手段】ＩＳＯ／ＪＩＳ規格に準拠した外形寸法を有するカード本体と、前記カード本体を２つの分割片に切り取り可能に形成された切取部と、前記２つの分割片の一方又は両方に、非接触読み取り可能な情報記憶機能が備えられていることを特徴とする。【選択図】        図１
2004152207.tif 000002
【特許請求の範囲】
【請求項１】
ＩＳＯ／ＪＩＳ規格に準拠した外形寸法を有するカード本体と、前記カード本体を２つの分割片に切り取り可能に形成された切取部と、前記２つの分割片の一方又は両方に、非接触読み取り可能な情報記憶機能が備えられていることを特徴とする非接触ＩＣカード。
【請求項２】
前記切取部で分割される一方の分割片に、識別情報が表示され、他方の分割片の情報記憶機能に、前記識別情報または前記識別情報と関連付けされた情報が記憶されていることを特徴とする請求項１記載の非接触ＩＣカード。
【請求項３】
前記一方の分割片が、他方の分割片よりも大きな外形寸法を有していることを特徴とする請求項１又は２に記載の非接触ＩＣカード。
【請求項４】
前記識別情報が、光学的読み取り可能な状態で表示されていることを特徴とする請求項２記載の非接触ＩＣカード。
【請求項５】
前記一方又は両方の分割片に、紐やチェーンを通すための穴が形成されていることを特徴とする請求項１〜３のいずれかに記載の非接触ＩＣカード。
【請求項６】
前記非接触読み取り可能な情報記憶機能が、非接触ＩＣタグからなることを特徴とする請求項１〜５のいずれかに記載の非接触ＩＣカード。
【発明の詳細な説明】
【０００１】
【発明の属する技術分野】
本発明は、ＩＳＯ／ＪＩＳ規格に準拠した外形寸法を有するカード本体からなる非接触ＩＣカードに関する。
【０００２】
【従来の技術】
従来、一般的にクレジットカード等で使用されているカードは、ＩＳＯ／ＪＩＳ規格で定められた外形寸法を有している。
通常、これらのカード表面に所望事項を印字するプリント装置においては、ＩＳＯ／ＪＩＳ規格に準拠した外形寸法を有するカードに適応するカード挿入部が設けられており、ＩＳＯ／ＪＩＳ規格に準拠しない定形外サイズのカードには適応しない場合が多い。
【０００３】
このために、ＩＳＯ／ＪＩＳ規格で定められた外形寸法を有しない、定形外サイズからなる小型サイズのカードに印字を行う場合には、既存のカードプリンターが使用できないので、特別仕様からなる専用のカードプリンタを製造しなければならない。
そのためにコスト高になるなど、カードへ簡単に印字処理ができない等の不便があるという問題がある。
このため、従来のＩＣカードでは、ＩＣ周辺部を切り取れるように構成したＩＣカードも知られている。（例えば、特許文献１参照）
【０００４】
しかしながら、特に、非接触方式の非接触ＩＣカードでは、持ち運びの際に小型の方が便利であり、また非接触ＩＣカードの記憶手段に記憶されたデータを読み取る際に、非接触ＩＣカードをリーダライタに挿入する必要がないので、カードリーダライタ上における外形寸法の影響はないが、上記したような非接触ＩＣカードへの印字を行う際に使用するカードプリンターに対する制約があり、非接触方式の非接触ＩＣカードをＩＳＯ／ＪＩＳ規格で定められた外形寸法以外のカード寸法とした場合には、カードプリンタによる印字処理上の不適応で既存のプリンタを使用できないという問題がある。
【０００５】
【特許文献１】
特開２００２−５６３６３
【０００６】
【発明が解決しようとする課題】
本発明は、ＩＳＯ／ＪＩＳ規格に準拠した外形寸法の非接触ＩＣカードに印字するためのカードプリント装置を使用して、そのＩＳＯ／ＪＩＳ規格寸法よりも小さい寸法の非接触方式の非接触ＩＣカードに対しても、所望の情報の印字処理を行うことができ、またカード発行時には、ＩＳＯ／ＪＩＳ規格に準拠した外形寸法を有し、カード利用時には、ＩＳＯ／ＪＩＳ規格寸法よりも小さい寸法の非接触方式の非接触ＩＣカードとして用いることができる非接触ＩＣカードを提供する。
【０００７】
【課題を解決するための手段】
本発明の非接触ＩＣカードは、ＩＳＯ／ＪＩＳ規格に準拠した外形寸法を有するカード本体と、前記カード本体を２つの分割片に切り取り可能に形成された切取部と、前記２つの分割片の一方又は両方に、非接触読み取り可能な情報記憶機能が備えられていることを特徴とする。
【０００８】
また、本発明の非接触ＩＣカードは、前記切取部で分割される一方の分割片に、識別情報が表示され、他方の分割片の情報記憶機能に、前記識別情報または前記識別情報と関連付けされた情報が記憶されていることを特徴とする。
【０００９】
更に、本発明の非接触ＩＣカードは、前記一方の分割片が、他方の分割片よりも大きな外形寸法を有していることを特徴とする。
【００１０】
また、本発明の非接触ＩＣカードは、前記識別情報が、光学的読み取り可能な状態で表示されていることを特徴とする。
【００１１】
更に、本発明の非接触ＩＣカードは、前記一方又は両方の分割片に、紐やチェーンを通すための穴が形成されていることを特徴とする。
【００１２】
また、本発明の非接触ＩＣカードは、前記非接触読み取り可能な情報記憶機能が、非接触ＩＣタグからなることを特徴とする。
【００１３】
【発明の実施の形態】
以下、本発明の実施の形態を図面に基づいて詳細に説明する。
図１は、本発明の第１実施形態に係る非接触ＩＣカードの平面図、図２は、図１のＡ−Ａ線断面図、図３は、図１のＢ−Ｂ線断面図、図４は、非接触ＩＣタグの一例を示す平面図、図５は、本発明の第１実施形態に係る非接触ＩＣカードを切取部から切り離した状態を示す平面図、図６は、本発明の第２実施形態に係る非接触ＩＣカードの断面図、図７は、本発明の第２実施形態に係る非接触ＩＣカード内の非接触ＩＣタグの配置を説明する平面図である。
【００１４】
まず、本発明の第１実施形態に係る非接触ＩＣカード１は、図１に示すように、カード本体２の全体形状が、ＩＳＯ／ＪＩＳ規格に準拠した外形寸法である長辺８５．６ｍｍ、短辺５４．０ｍｍ、厚み０．８０ｍｍからなる略矩形状を有している。
カード本体２の基材としては、プラスチック等の合成樹脂や紙材、またはこれらの積層体などが用いられる。
また、カード本体２の一部には、ハーフカットや切取用ミシン等で形成された切り取り可能な切取部４が設けられ、この切取部４からカード本体２を２つの分割片２ａ，２ｂに手で折り曲げるなどして、簡単に切り取って分離できるように構成されている。
【００１５】
２つに分割された分割片２ａ，２ｂは、一方の分割片２ａが他方の分割片２ｂよりも大きな外形寸法を有していて、小さなサイズの分割片２ｂには、非接触読み取り可能な情報記憶機能として非接触ＩＣタグ３がカード本体２に内蔵されている。
カード本体２は、図２及び図３に示すように、２枚の紙片２１，２２が重ね合わされて接着され、この２枚の紙片２１，２２の間に非接触ＩＣタグ３が挟まれた状態で外部から保護されて設けられている。
【００１６】
非接触ＩＣタグ３の一例を図４に示す。
非接触ＩＣタグ３は、非接触データキャリアやＦＲ−ＩＤともいわれ、プラスチック等の基材３１にコイルパターン３３を形成し、当該コイルと容量素子とにより共振回路を形成して一定周波数の電波を受信し送信することができる。
また、他の方式として、リーダライタからの搬送波の電磁誘導により電力伝送及びデータ伝送を行うようにしてもよい。
一般的には１３５ｋＨｚ（中波）、１３．５６ＭＨｚ、２．４５ＧＨｚ（マイクロ波）の周波数帯が使用される。
図示した例の場合、コイルパターン３３は、導通部材３４により基材３１の裏面でジャンピング回路を形成してコイル接続端子３３ＣによりＩＣチップ３２の裏面のバンプに接続している。
【００１７】
図示した例では、容量素子はＩＣチップ３２に内蔵されている。
このような非接触ＩＣタグ３は、樹脂基材にラミネートしたアルミ箔等の金属箔をフォトエッチングやレジスト印刷後のエッチングによりコイルパターン３３を形成し、ＩＣチップ３２を装着し、保護用の被覆を設けることにより形成することができる。
【００１８】
非接触ＩＣタグ３に使用する樹脂基材３１としては、ＰＥＴやポリプロピレン、ポリエチレン、ポリスチレン、ナイロン等の各種材料を使用することができ紙であってもよい。
厚みは１５〜３００μｍが使用できるが、強度、加工作業性、コスト等の点から２０〜１００μｍがより好ましい。
金属箔としては、銅箔やアルミ箔あるいは鉄箔を使用できるが、コスト、加工性からアルミ箔が好ましく、その厚みは６〜５０μｍ程度が好ましい。
【００１９】
これらの記録した情報の読み取りは、非接触ＩＣタグ３対して共振する呼び出し信号を発信し、数ｃｍから数十ｃｍの距離で非接触ＩＣタグ３からの応答信号を読み、且つ非接触ＩＣタグ３に記録することができる。
装置としては固定した常設のリーダライタ付きターミナルやのほか、無線式のハンディー端末等を使用することができる。
【００２０】
また、非接触ＩＣタグ３が内蔵されている小さなサイズの分割片２ｂには、紐やチェーンを通すための穴５が形成され、この穴５に紐やチェーンを通した状態で分割片２ｂを所持することで、小さなサイズの分割片２ｂを不用意に落としたりしないようにするのに役立つものである。
【００２１】
また、大きなサイズの分割片２ａには、その表面にその非接触ＩＣカードの発行者の使用目的に応じた説明文６や、カード発行者名７、カード発行者のメールアドレス又はＵＲＬ８、非接触ＩＣカード毎に固有の識別情報であるＩＤ番号９などの文字情報や数字情報が表示されている。
また、更にＩＤ番号を光学的読み取り可能に表示したバーコードなどの機械読み取りコードが表示されている。
ＩＤ番号を光学的読み取り可能に表示することで、ＩＤ番号を入力する際に効率的に行うことができる。
これらの表示は、カードプリンターによりプリント印字したり、カード共通情報については予め印刷しておき、可変情報についてはカードプリンターによりプリント印字するようにしてもよい。
【００２２】
また、大きなサイズの分割片２ａの表示と同様の表示内容や、その中の一部の表示内容を小さなサイズの分割片２ｂの表面に設けるようにしてもよい。
これらのカード本体２への表示は、カード本体２の全体形状が、ＩＳＯ／ＪＩＳ規格に準拠した外形寸法を有しているので、一般的に使用されているカードプリンターを用いて簡単に所望の表示を施すことができる。
【００２３】
非接触ＩＣカード１には、大きなサイズの分割片２ａに表示されているカード毎に固有の識別情報であるＩＤ番号が、小さなサイズの分割片２ｂの非接触読み取り可能な情報記憶機能である非接触ＩＣタグ３の記憶手段にも記憶されている。
または、大きなサイズの分割片２ａに表示されている非接触ＩＣカード毎に固有の識別情報であるＩＤ番号と関連付けられた情報が、小さなサイズの分割片２ｂの非接触読み取り可能な情報記憶機能である非接触ＩＣタグ３の記憶手段にも記憶されている。
【００２４】
これにより、大きなサイズの分割片２ａに表示されている非接触ＩＣカード毎に固有の識別情報であるＩＤ番号又はこれに関連付けられた情報と、非接触ＩＣカード利用者の個人毎の固有情報である例えば電子メールアドレス等とを関連付けて、管理用サーバの利用者データベースに登録させておくことにより、利用者が小さなサイズの分割片２ｂを持ち歩き、所望の場所に設置されているＩＣタグリーダにより、分割片２ｂの非接触ＩＣタグ３に記憶されているＩＤ番号又はこれに関連付けられた情報を読み取り、管理用サーバに送信することで、小さなサイズの分割片２ｂを所持している利用者を特定することができる。
したがって、小さなサイズの分割片２ｂを持ち歩いている利用者に対して、必要に応じて適宜にその利用者の電子メールアドレス宛てに、非接触ＩＣカード発行者側から所望の情報を送信することが可能となる。
【００２５】
次に、本発明の第１実施形態に係る非接触ＩＣカード１の使用方法について説明する。
非接触ＩＣカード１は、大きなサイズの分割片２ａの表面に、例えばその非接触ＩＣカードの発行者の使用目的に応じた説明文６、カード発行者名７、カード発行者のメールアドレス又はＵＲＬ８、非接触ＩＣカード毎に固有の識別情報であるＩＤ番号９などの文字情報や数字情報をプリンタで印字出力すると共に、小さなサイズの分割片２ｂの非接触ＩＣタグ３に、分割片２ａに表示されているＩＤ番号を記憶させた状態で、利用者に対して無料又は有料で配布する。
【００２６】
そして、非接触ＩＣカード１を入手した利用者は、分割片２ａの表面に表示されているＵＲＬ８に端末からアクセスすることで、通信網を介して通信可能に接続されている管理用サーバに、カード上に表示されているＩＤ番号９と利用者自身の電子メールアドレスとを送信する。
管理用サーバでは、受信したＩＤ番号９と利用者自身の電子メールアドレスとを関連付けて利用者データベースに登録する。
【００２７】
また、利用者は、切取部４からカード本体２を２つの分割片２ａ，２ｂに切り取って分離させた後、非接触ＩＣタグ３を内蔵している小さなサイズの分割片２ｂを所持して外出する。
そして、所定の場所に設置されている、非接触ＩＣタグ３の記憶手段に記憶されているＩＤ番号を非接触で読み取る機能を有する非接触ＩＣタグリーダに対して、利用者が所持している分割片２ｂを近づけることで、そのＩＤ番号を読み取らせる。
【００２８】
非接触ＩＣタグリーダで読み取ったＩＤ番号は、通信網を介して管理用サーバに送信されて、利用者データベースでそのＩＤ番号と関連付けられて登録されている利用者自身の電子メールアドレスが特定される。
そして、管理用サーバからこの電子メールアドレスに対して、所望の情報が送信され、カード利用者に対する情報の伝達が行われる。
【００２９】
以上のように、本発明の非接触ＩＣカード１では、カードの発行時にはＩＳＯ／ＪＩＳ規格に準拠した外形寸法を有した状態で、カードプリンターによる印字処理を行うことができ、また利用者が使用する際には、切取部４から切り取った小型サイズの非接触ＩＣカードとして非接触で情報の送信が行えるようにしてある。
【００３０】
次に、本発明の第２実施形態に係る非接触ＩＣカード１０について説明する。第２実施形態に係る非接触ＩＣカード１０は、前記の第１実施形態に係る非接触ＩＣカード１と略同様の仕様を有しており、第１実施形態に係る非接触ＩＣカード１と異なるのは、図６及び図７に示すように、切取部４から分割されるカード本体２の２つの分割片２ａ，２ｂの両方に非接触読み取り可能な情報記憶機能として非接触ＩＣタグ３ａ，３ｂが、カード本体２にそれぞれ内蔵されている点である。
【００３１】
非接触ＩＣカード１には、大きなサイズの分割片２ａに表示されているカード毎に固有の識別情報であるＩＤ番号が、分割片２ａと分割片２ｂに設けられている非接触読み取り可能な情報記憶機能である各々の非接触ＩＣタグ３ａ，３ｂの記憶手段にも記憶されている。
第２実施形態に係る非接触ＩＣカード１０では、分割片２ａと分割片２ｂに非接触ＩＣタグ３ａ，３ｂが設けられているので、発行時には、１枚の非接触ＩＣカードとして表面に所望の情報を印字した後、切取部４から２つの分割片２ａ，２ｂに分割することで家族等で２人の利用者が利用したり、分割して異なるシステムに利用するなどできる。
【００３２】
また、２つの分割片２ａ，分割片２ｂには、紐やチェーンを通すための穴５ａ，５ｂがそれぞれ形成され、切取部４から分割後にそれぞれの穴穴５ａ，５ｂに紐やチェーンを通して使用することで、不用意に落としたりして紛失することを防止するのに役立つものである。
【００３３】
【発明の効果】
以上説明したように、本発明の非接触ＩＣカードは、カード本体がＩＳＯ／ＪＩＳ規格に準拠した外形寸法を有し、２つの分割片となるように切り取り可能に形成されているので、カード発行時には、ＩＳＯ／ＪＩＳ規格に準拠した外形寸法のカードに印字するためのプリント装置を使用して所望の情報の印字処理を行い、印字処理後に２つに分割して小型のカードとして使用することができるという効果がある。
【００３４】
また、本発明のカードは、一方の分割片に、識別情報が表示され、他方の分割片の情報記憶機能に、前記識別情報または前記識別情報と関連付けされた情報が記憶されているので、非接触カードに予め記憶されている情報をカードに表示して利用者に伝達できると共に、非接触カード使用時には利用者が識別情報を秘密状態として所持することができ、情報漏洩を防止することができるという効果がある。
【００３５】
また、一方の分割片が、他方の分割片よりも大きな外形寸法を有するようにすることで、所持する際に小型サイズの非接触ＩＣカードを持ち歩くことができるので、嵩張らなくて便利である。
更に、非接触ＩＣカードに表示した識別情報が、光学的読み取り可能な状態で表示されているので、識別情報を入力する際に効率的に行うことができるという効果がある。
【００３６】
また、分割片の一方又は両方の分割片に、紐やチェーンを通すための穴が形成されているので、分割片を紛失しないように紐やチェーンを使用して所持することができるという効果がある。
更に、非接触読み取り可能な情報記憶機能が、非接触ＩＣタグからなるので、カード基材内に非接触ＩＣタグを内蔵することで簡単の非接触ＩＣカードの製造を行うことができるという効果がある。
【図面の簡単な説明】
【図１】本発明の第１実施形態に係る非接触ＩＣカードの平面図である。
【図２】図１のＡ−Ａ線断面図である。
【図３】図１のＢ−Ｂ線断面図である。
【図４】非接触ＩＣタグの一例を示す平面図である。
【図５】本発明の第１実施形態に係る非接触ＩＣカードを切取部から切り離した状態を示す平面図である。
【図６】本発明の第２実施形態に係る非接触ＩＣカードの断面図である。
【図７】本発明の第２実施形態に係る非接触ＩＣカード内の非接触ＩＣタグの配置を説明する平面図である。
【符号の説明】
１  本発明の第１実施形態に係る非接触ＩＣカード
２  カード本体
２ａ，２ｂ  分割片
３，２ａ，２ｂ  非接触ＩＣタグ
４  切取部
５  穴
６  説明文
７  カード発行者名
８  ＵＲＬ
９  ＩＤ番号
１０  本発明の第２実施形態に係る非接触ＩＣカード
２１，２２  紙片
３１  基材
３２  ＩＣチップ
３３  コイルパターン
３３Ｃ  コイル接続端子
３４  導通部材
【図１】
2004152207.tif 000003
【図２】
2004152207.tif 000004
【図３】
2004152207.tif 000005
【図４】
2004152207.tif 000006
【図５】
2004152207.tif 000007
【図６】
2004152207.tif 000008
【図７】
2004152207.tif 000009